(57)【要約】【課題】使用後に容器と分離させる必要がなく繰り返し利用が可能で、容器自体の外面や保管場所の汚損を防止し、かつ、刷毛等を開口部から挿入して内容物を使用する場合でも、刷毛から落下した内容物が開口部周辺に付着するのを防止する折り畳み漏斗を提供すること。【解決手段】容器１５０の開口部の内方に折り畳み可能で、開放された状態で開口部より上方に漏斗状となる漏斗部１１０と、開口部に固定可能な固定片部１２０とを有し、漏斗部１１０の開放された状態の下方の開口が、開口部より内方に位置すること。【選択図】図１
2015098338.tif 000002
【特許請求の範囲】
【請求項１】
容器の開口部に取り付けられる折り畳み漏斗であって、
前記開口部の内方に折り畳み可能で、開放された状態で前記開口部より上方に漏斗状となる漏斗部と、
前記開口部に固定可能な固定片部とを有し、
前記漏斗部の開放された状態の下方の開口が、前記開口部より内方に位置することを特徴とする折り畳み漏斗。
【請求項２】
前記漏斗部が、複数の折り線を有し、前記開口部の上端の開口面と平行な平面状に折り畳み可能に形成されていることを特徴とする請求項１に記載の折り畳み漏斗。
【請求項３】
前記固定片部が、前記開口部の内周壁の上端に存在するスリットに挿入可能に設けられていることを特徴とする請求項１または請求項２に記載の折り畳み漏斗。
【請求項４】
前記固定片部が、先端側にさらに折り返した返し部を有することを特徴とする請求項３に記載の折り畳み漏斗。
【請求項５】
前記漏斗部および固定片部が、前記漏斗部の１つの折り線を切り離した状態で平面状に展開されることを特徴とする請求項１乃至請求項４のいずれかに記載の折り畳み漏斗。
【発明の詳細な説明】
【技術分野】
【０００１】
本発明は、容器の開口部に取り付けられる折り畳み漏斗に関し、特に、塗料缶などの粘性を有し漏出することで周囲を汚損するおそれのある液体を収容する容器であって、開口部の内周壁の上端部に嵌め込まれる蓋部材を有する容器に適用するのに好適な折り畳み漏斗に関する。
【背景技術】
【０００２】
従来、容器への内容物の充填や、容器からの内容物の注出のため、容器の開口部に漏斗を取り付けることが一般的に行われている。
また、容器の開口部に取り付ける漏斗として、非使用時の収容を考慮し折り畳み可能とした漏斗も公知である（例えば特許文献１、２、３等参照。）。
特許文献１等で公知の漏斗は、平面状に折り畳み可能で、容器の開口部に上部から挿入して内容物の充填を容易にするものである。
特許文献２の図１、図２、図４で示される実施形態等で公知の漏斗（液状物注出補助具）は、平面状に折り畳み可能で、容器の開口部の外周に係合されて内容物の注出を容易にするものである。
特許文献３等で公知の漏斗は、平面状に折り畳み可能で、容器の開口部の外周に固定されるとともに、一部が上部から挿入されて内容物の充填を容易にするものである。
【先行技術文献】
【特許文献】
【０００３】
【特許文献１】特開２００９−２８６４１３号公報
【特許文献２】特開２０１３−１１２３９６号公報
【特許文献３】特開２００４−９１００９号公報
【発明の概要】
【発明が解決しようとする課題】
【０００４】
特許文献１、２等で公知の漏斗は、使用時は開口部に固定することは可能であるが、使用後に容器の開口部を蓋で閉塞する場合には容器と分離させる必要があり、時間をおいて複数回に使用するためには、保管場所の確保が必要であり、その際には、内容物が付着した漏斗を容器とは別に保管することとなるため、漏斗の保管場所が汚損するという問題があった。
また、一度のみ使用して廃棄することも考えられるが、未使用品をストックしておく必要があり、また、コストがその分増大するとともに、付着した内容物によっては簡単に廃棄できない場合もあるという問題があった。
特許文献３等で公知の漏斗（液状物注出補助具）は、時間をおいて複数回に使用するために、使用後も容器に取り付けた状態で容器の開口部を蓋で閉塞することは可能であるが、その場合、容器の上部に漏斗が突出した状態のままであり、内容物が付着した漏斗によって容器自体の外面や、その保管場所が汚損するという問題があった。
前述と同様に一度のみ使用して廃棄する場合には、前述と同様の問題があった。
【０００５】
一方、塗料缶などの粘性を有し漏出することで周囲を汚損するおそれのある液体を内容物として収容する容器において、刷毛等を開口部から挿入して内容物を使用する場合に、刷毛から落下した塗料等の内容物によって容器の開口部周辺や、容器の周囲を汚損することが多く、また、刷毛に余分に付着した内容物を適量とするために開口部周縁に押し付けるような使用法が多用されるため、開口部周辺には大量の液体が付着し、使用後に開口部を蓋で閉塞した場合、付着した内容物が固化して再使用時に蓋を開放するのが困難となるという問題があった。
発明者は、このような用途において開口部に漏斗を固定することで、刷毛から落下した塗料等の内容物を容易に容器内に回収でき、刷毛に余分に付着した内容物を適量とする際も漏斗の内周部に押し付けることで開口部周辺への内容物の付着を防止でき、前述の問題を解決することが可能であるとの知見を得た。
しかしながら、充填を目的とした特許文献１、２等で公知の漏斗を使用した場合は、容器の未使用時に、漏斗を取り外して、あるいは、容器の上方に露出させた状態で容器の開口部を蓋で閉塞する必要があった。
また、注出を目的とした特許文献３等で公知の漏斗を使用した場合は、容器の未使用時に、容器の上方に露出させた状態で容器の開口部を蓋で閉塞する必要があるとともに、刷毛から落下した内容物が開口部周辺に付着するのを防止することはできなかった。
【０００６】
本発明は、前記した公知の技術における問題点を解決するものであり、使用後に容器と分離させる必要がなく繰り返し利用が可能で、容器自体の外面や保管場所の汚損を防止し、かつ、刷毛等を開口部から挿入して内容物を使用する場合でも、刷毛から落下した内容物が開口部周辺に付着するのを防止する折り畳み漏斗を提供することを目的とするものである。
【課題を解決するための手段】
【０００７】
本発明に係る折り畳み漏斗は、容器の開口部に取り付けられる折り畳み漏斗であって、前記開口部の内方に折り畳み可能で、開放された状態で前記開口部より上方に漏斗状となる漏斗部と、前記開口部に固定可能な固定片部とを有し、前記漏斗部の開放された状態の下方の開口が、前記開口部より内方に位置することにより、前記課題を解決するものである。
【発明の効果】
【０００８】
本請求項１に係る折り畳み漏斗によれば、漏斗部が開口部の内方に折り畳み可能で、開放された状態で前記開口部より上方に漏斗状となることで、折り畳んだ状態で上方への突出がなく、折り畳み漏斗を取り付けたまま容器の開口部を蓋で閉塞することも可能となり、使用後に容器と分離させる必要がなく繰り返し利用ができるとともに、上方への突出がないことで容器自体の外面や保管場所の汚損を抑制でき、蓋の内部に収容すれば、さらに容器自体の外面や保管場所の汚損を防止することができる。
また、固定片部が、開口部に固定可能で、漏斗部の開放された状態の下方の開口が開口部より内方に位置することで、刷毛等を開口部から挿入して内容物を使用する場合でも、刷毛から落下した内容物が開口部周辺に付着するのを防止し、円滑に容器内に回収することができる。
【０００９】
本請求項２に記載の構成によれば、漏斗部が、複数の折り線を有し、開口部の上端の開口面と平行な平面状に折り畳み可能に形成されていることにより、開口部の上端面より下の位置に収容可能となり、容器の蓋を特殊な形状とすることなく開口部を閉塞することができる。
また、このことで、一般的な塗料缶に取り付けても、当初の蓋を何度でも閉塞に用いることが可能となり、内容物を使いきらずに残った場合でも、漏斗を取り付けた状態で複数回の蓋の閉塞、開放が可能となる。
本請求項３に記載の構成によれば、固定片部をスリットに挿入することで、より確実に開口部の内周壁に固定することが可能となる。
本請求項４に記載の構成によれば、返し部によってスリットから抜けることが抑制され、折り畳み漏斗が容器内に脱落することを防止できる。
本請求項４に記載の構成によれば、製造が容易となり、コストを低く押さえることができる。
【図面の簡単な説明】
【００１０】
【図１】本発明の一実施形態に係る折り畳み漏斗の開放時平面図。
【図２】本発明の一実施形態に係る折り畳み漏斗の開放時正面図。
【図３】本発明の一実施形態に係る折り畳み漏斗の折り畳み時平面図。
【図４】本発明の一実施形態に係る折り畳み漏斗の折り畳み時正面図。
【図５】本発明の一実施形態に係る折り畳み漏斗の容器への取り付け断面説明図。
【図６】本発明の一実施形態に係る折り畳み漏斗の平面展開図。
【図７】本発明の他の一実施形態に係る折り畳み漏斗の容器への取り付け説明図。
【発明を実施するための形態】
【００１１】
本発明の折り畳み漏斗は、容器の開口部に取り付けられ、開口部の内方に折り畳み可能で、開放された状態で開口部より上方に漏斗状となる漏斗部と、開口部の内周壁に固定可能な固定片部とを有し、漏斗部の開放された状態の下方の開口が、前記開口部より内方に位置するものであり、図１乃至図６に、本発明の折り畳み漏斗の一実施形態を示す。
本実施形態の折り畳み漏斗１００は、漏斗部１１０と固定片部１２０とを有しており、固定片部１２０によって容器１５０の開口部１５１に取り付けられた状態で、漏斗部１１０が、図１、図２に示すように、開口部１５１の上方に漏斗状に開放するとともに、図３、図４に示すように、開口部１５１の内方に開口面と平行な平面状に折り畳み可能に構成されている。
【００１２】
漏斗部１１０は、開口部１５１の開口面と平行となるフランジ部１１２と、該フランジ部１１２に対して開閉谷折り線１１５を介して屈曲可能な開閉本体１１１からなる。
開閉本体１１１には、開放・折り畳みのための漏斗山折り線１１３および漏斗谷折り線１１４が設けられている。
本実施形態では、開閉谷折り線１１５は八角形状に形成されており、該八角形状の対角線長さが開口部１５１の直径以下に設定されることで、漏斗部１１０の開放された状態の下方の開口が、開口部１５１より内方に位置するように構成されている。
また、漏斗山折り線１１３および漏斗谷折り線１１４は、開閉谷折り線１１５のなす八角形状の頂点からそれぞれ伸ばされることで、開閉本体１１１が厚み分の誤差を除いてほぼフランジ部１１２と同一平面をなすように折り畳まれ、開口部１５１の開口面と平行な平面状に折り畳み可能となる。
【００１３】
固定片部１２０は、フランジ部１１２に連続して設けられ、容器１５０の開口部１５１の内周壁の上端に存在するスリットに挿入可能な溝挿入部１２２と、先端側に返し部１２１を有している。
本実施形態では、図６に示すように、漏斗部１１０および固定片部１２０が、漏斗部１１０の１つの開閉山折り線１１３を切り離した状態で平面状に展開可能に形成されており、１つの平板上の薄板から打ち抜き（あるいは切り抜き）等により製造することが可能であるが、樹脂等で上記使用時の形状に直接製造されたものであってもよい。
【００１４】
次に、折り畳み漏斗１００の容器１５０の開口部１５１への取り付け形態について、図５に基づいて説明する。
容器１５０は、一般的な円筒状の塗料缶であり、上面の開口部１５１の外周側には蓋１５２の下面が嵌合される蓋嵌合溝１５３を有しており、その上端部の内周側に巻締端部１５４が設けられている。
巻締端部１５４は、上方から巻かれて断面ほぼ円周状に形成されており、蓋嵌合溝１５３の外周面と巻締端部１５４との間には下方から小さな間隔のスリットが形成されている。
折り畳み漏斗１００は、固定片部１２０の溝挿入部１２２を前記スリットの下方から挿入することで開口部１５１の内周に固定される。
【００１５】
さらに、溝挿入部１２２より先端側の返し部１２１が前記巻締端部１５４の内部で折り返されることで抜け止めとして作用し、折り畳み漏斗１００が下方、すなわち容器１５１内部に脱落すること防止をしている。
また、この構成により、折り畳み漏斗１００は全体が蓋嵌合溝１５３よりも内方に固定され、かつ、図５に示すように、漏斗部１１０が巻締端部１５４の上端を超えない位置に折り畳み可能に構成することによって、折り畳み漏斗１００を取り外すことなく、蓋１５２を蓋嵌合溝１５３に取り付けることが可能となる。
【００１６】
また、漏斗部１１０が折り畳まれた際の中心の開口を小さく設計することで、折り畳み漏斗１００自体を蓋として機能させることも可能である。
本発明の折り畳み漏斗１００を蓋として使用する場合は、図７に示すように、固定片部１２０を開口部１５１の外周方向に延びるように形成し、その先端側に蓋嵌合溝挿入部１２５を形成し容器１５０の蓋嵌合溝１５３に嵌合させることで容器１５０に固定してもよい。
蓋嵌合溝挿入部１２５により固定することで、折り畳み漏斗１００を蓋として使用できるのみならず、内容物が蓋嵌合溝１５３内に侵入することも防止できる。
この場合、図６に示すように展開可能ではなく、樹脂等で使用時の形状に直接製造することが望ましい。
【００１７】
以上、本発明の折り畳み漏斗の実施形態を示したが、容器の開口部に取り付けられる折り畳み漏斗であって、開口部の内方に折り畳み可能で、開放された状態で開口部より上方に漏斗状となる漏斗部と、開口部に固定可能な固定片部とを有し、漏斗部の開放された状態の下方の開口が、前記開口部より内方に位置するものであれば、その具体的構成は実施形態のものに限定されるものでなく、種々の構成が採用可能である。
また、上記実施形態では、塗料缶などの粘性を有し漏出することで周囲を汚損するおそれのある液体を内容物として収容する容器に取り付けられるものとしたが、いかなる容器にも適用可能であり、これに限定されるものではない。
【符号の説明】
【００１８】
１００  ・・・  折り畳み漏斗
１１０  ・・・  漏斗部
１１１  ・・・  開閉本体
１１２  ・・・  フランジ部
１１３  ・・・  漏斗山折り線
１１４  ・・・  漏斗谷折り線
１１５  ・・・  開閉谷折り線
１２０  ・・・  固定片部
１２１  ・・・  返し部
１２２  ・・・  溝挿入部
１２５  ・・・  蓋嵌合溝挿入部
１５０  ・・・  容器
１５１  ・・・  開口部（容器の）
１５２  ・・・  蓋
１５３  ・・・  蓋嵌合溝
１５４  ・・・  巻締端部
【図１】
2015098338.tif 000003
【図２】
2015098338.tif 000004
【図３】
2015098338.tif 000005
【図４】
2015098338.tif 000006
【図５】
2015098338.tif 000007
【図６】
2015098338.tif 000008
【図７】
2015098338.tif 000009